(57)【要約】【課題】天井コンクリート面からダクトなどをコストも安く施工時間も短く吊り下げ支持できるようにする。【解決手段】デッキプレート１にあけられた穴１ａに嵌合体３０をはめ込み、デッキプレート１の上面にコンクリート３を打設して抜け防止曲げ部２２をコンクリート面に埋設してデッキプレート面から下方に直線部２１及び折り返し部２３を露出させ、被支持体８を包持させた吊りバンド４０の両端の穴に折り返し部２３の先端を挿通して、折り返し部２３の下端部に吊りバンド４０の両端を支持する。【選択図】        図３
2004218800.tif 000002
【特許請求の範囲】
【請求項１】
被支持体を吊りバンドで包持してコンクリート面から吊り下げ支持するための吊り下げ支持具であって、
直線部と、前記直線部の上端に設けられた抜け防止曲げ部と、前記直線部の下端に設けられた折り返し部とで構成された線状体から成り、
デッキプレートにあけられた穴から上方に前記抜け防止曲げ部を位置させて、前記デッキプレートの上面にコンクリートを打設して前記抜け防止曲げ部をコンクリート面に埋設して前記デッキプレート面から下方に前記直線部及び折り返し部を露出させ、被支持体を包持させた吊りバンドの両端の穴に前記折り返し部の先端を挿通して、前記折り返し部の下端部に前記吊りバンドの両端を支持するようにしたことを特徴とする吊り下げ支持具。
【請求項２】
被支持体を吊りバンドで包持してコンクリート面から吊り下げ支持するための吊り下げ支持具であって、
直線部と、前記直線部の上端に設けられた抜け防止曲げ部と、前記直線部の下端に設けられた折り返し部とで構成された線状体と、
前記線状体の抜け防止曲げ部の下方において前記直線部に装着された嵌合体とから成り、
デッキプレートにあけられた穴に前記嵌合体をはめ込み、前記デッキプレートの上面にコンクリートを打設して前記抜け防止曲げ部をコンクリート面に埋設して前記デッキプレート面から下方に前記直線部及び折り返し部を露出させ、被支持体を包持させた吊りバンドの両端の穴に前記折り返し部の先端を挿通して、前記折り返し部の下端部に前記吊りバンドの両端を支持するようにしたことを特徴とする吊り下げ支持具。
【請求項３】
前記嵌合体が、下側が小径となった柱状である請求項２記載の吊り下げ支持具。
【請求項４】
前記嵌合体が弾性材からなる請求項２記載の吊り下げ支持具。
【請求項５】
デッキプレートにあけられた穴に嵌合体がはめ込まれ、
前記嵌合体を貫通した線状体の上端に一体的に設けられた抜け防止曲げ部が、前記デッキプレートの上面側においてコンクリート内に埋設され、
前記線状体及びその下端に一体的に設けられた折り返し部が前記デッキプレートの下面側に配され、
ダクトを包持させた吊りバンドの両端の穴に前記折り返し部が挿通されて前記吊りバンドの両端が前記折り返し部に保持されたことを特徴とするダクト吊り下げ構造。
【請求項６】
前記嵌合体が、下側が小径となった柱状である請求項５記載のダクト吊り下げ構造。
【請求項７】
前記嵌合体が弾性材からなる請求項５記載のダクト吊り下げ構造。
【請求項８】
前記吊りバンドの少なくとも一端側に前記折り返し部を選択的に挿通するための吊りバンド長手方向の複数の穴が設けられた請求項５記載のダクト吊り下げ構造。
【請求項９】
デッキプレートを敷設する工程と、
前記デッキプレートにダクトの敷設方向に沿って複数の穴をあける工程と、
直線部の上端に抜け防止曲げ部が設けられ、前記直線部の下端に折り返し部が設けられた前記直線部に前記抜け防止曲げ部の下方に嵌合体が装着された吊り下げ支持具を用いて、前記デッキプレートの前記穴に上面側から前記折り返し部及び前記直線部を前記デッキプレートの下方へと挿通させて前記嵌合体を前記穴にはめ込む工程と、
前記デッキプレートの上面側にコンクリートを打設して、前記抜け防止曲げ部を埋設する工程と、
前記デッキプレートの下方においてダクトを敷設し、吊りバンドを前記ダクトに巻囲し、前記折り返し部を前記吊りバンドの両端の穴に挿通させて前記折り返し部に前記吊りバンドを保持させる工程とを備えたダクト吊り下げ方法。
【請求項１０】
前記嵌合体が、下側が小径となった柱状である請求項９記載のダクト吊り下げ方法。
【請求項１１】
前記嵌合体が弾性材からなる請求項９記載のダクト吊り下げ方法。
【請求項１２】
前記吊りバンドの少なくとも一端側に前記折り返し部を選択的に挿通するための吊りバンド長手方向の複数の穴が設けられた請求項９記載のダクト吊り下げ方法。
【発明の詳細な説明】
【０００１】
【発明の属する技術分野】
本発明は被支持体をコンクリート面から吊り下げ支持するための吊り下げ支持具に関する。
【０００２】
【従来の技術及び発明が解決しようとする課題】
ビルディング、工場、倉庫、駅舎、その他建造物における空調工事において、空気（新鮮外気、冷気、暖気、排気）を搬送するために重量の大きい亜鉛鉄板製の円形ダクト（スパイラルダクト）が用いられているが、近年、天井吹出し口などに接続する末端のダクトは施工を容易簡略化して工事短縮化を図るため、可とう性に富み、断熱材を装着した軽量のフレキシブルダクトが用いられ、天井のコンクリート面から吊り下げ支持するようにしている。
【０００３】
このようにダクトを天井コンクリート面から吊り下げるには、従来では、ダクトの上面に専用の受台を取付け、この受台と天井コンクリートに固定した係止具間を策条で結んで吊り下げする方法（特許文献１）、ダクトを囲む第１の番線の直線状の長さの異なる両端部を、くの字状に中央を曲げた第１の金属板の上下２つの小穴に挿通して両端部を第１の金属板に固定し、コンクリート面から垂下させた直線状の第２の番線の端部と、前記第１の番線の両端部のうちの片方とを、くの字状に中央を曲げた第２の金属板の上下２つの小穴に上下から貫通させて第２の金属板に第１、第２の番線を固定することによって、ダクトを天井コンクリート面から吊り下げ支持する方法（特許文献２）などがあった。
【０００４】
【特許文献１】特開平８−２８５３５９号公報（第２頁、図１）
【特許文献２】実公昭５８−２５１９３号公報（第４頁、第１図）
【０００５】
しかしながら、前者の方法では、ダクトの上面に予め専用の受台を設けなければならないためコスト高となり、また、後者では２つの金属板に上下から番線の端部を挿通しなければならないため作業が煩雑であった。
【０００６】
このため、従来では、インサートを用いてダクトを吊り下げる方法も行われている。
即ち、図９に示すように、天井面を構成するデッキプレート１に穴１ａをあけ、この穴１ａに上側からインサート２を打ち込んでインサート２の下部２ａがデッキプレート１の下側に露呈するようにし、次に、デッキプレート１の上側にコンクリート３を打設する。
【０００７】
コンクリート打設後、インサート２のネジ穴２ｂに下側から吊りボルト４の上端部をネジ込んで固定する。
次に、吊りボルト４の下部にナット５を螺着し、Ｌ形金具６の水平部６ａの取付け穴６ｂを通し、さらに下側からもう１つナット７を螺着して２つのナット５、７によってＬ形金具６を吊りボルト４の下部に固定する。
【０００８】
次に、フレキシブルダクト８を包持させた吊りバンド９の両端９ａ、９ｂの穴１０ａ、１０ｂをＬ形金具６の垂直部６ｃの取付け穴６ｄに合わせてボルト１１をこの取付け穴６ｄに通し、ナット１２によって締め付けて吊りバンド９の両端９ａ、９ｂをＬ形金具６に固定する。
このようにしてフレキシブルダクト８を吊り下げ支持していた。
【０００９】
しかしながら、このような従来の方法では、（イ）インサート２のデッキプレート１の穴１ａへの打込み、（ロ）インサート２への吊りボルト４の取り付け、（ハ）吊りボルト４へのＬ形金具６の２個のナット５、７による取付け、（ニ）Ｌ形金具６への吊りバンド９のボルト１１、ナット１２による取付けという４つの作業が必要で、施工に手間がかかり、多大な時間がかかっていた。
【００１０】
また、フレキシブルダクト８の重量が最大径の物でも１ｍあたり約２Ｋｇ程度であるのに、吊りボルト４やＬ形金具６を用いるのは、過剰設計であってコスト高となり、ナットやボルトなどの付属部品も量がかさみ、例えば大型ビルデイングでは無数の箇所にこの施工を行わなければならないため、施工者にとって大変な負担となっていた。
【００１１】
本発明は以上のような問題を解決し、コストも安く施工時間も著しく短縮できるようにした吊り下げ支持具及びダクト吊り下げ構造並びにダクト吊り下げ方法を提供することを目的としている。
【００１２】
【課題を解決するための手段】
前記目的を達成するために、本発明の請求項１の吊り下げ支持具は、
直線部と、前記直線部の上端に設けられた抜け防止曲げ部と、前記直線部の下端に設けられた折り返し部とで構成された線状体から成り、
デッキプレートにあけられた穴から上方に前記抜け防止曲げ部を位置させて、前記デッキプレートの上面にコンクリートを打設して前記抜け防止曲げ部をコンクリート面に埋設して前記デッキプレート面から下方に前記直線部及び折り返し部を露出させ、被支持体を包持させた吊りバンドの両端の穴に前記折り返し部の先端を挿通して、前記折り返し部の下端部に前記吊りバンドの両端を支持するようにしたことを特徴としている。
【００１３】
また、本発明の請求項２の吊り下げ支持具は、
直線部と、前記直線部の上端に設けられた抜け防止曲げ部と、前記直線部の下端に設けられた折り返し部とで構成された線状体と、
前記線状体の抜け防止曲げ部の下方において前記直線部に装着された嵌合体とから成り、
デッキプレートにあけられた穴に前記嵌合体をはめ込み、前記デッキプレートの上面にコンクリートを打設して前記抜け防止曲げ部をコンクリート面に埋設して前記デッキプレート面から下方に前記直線部及び折り返し部を露出させ、被支持体を包持させた吊りバンドの両端の穴に前記折り返し部の先端を挿通して、前記折り返し部の下端部に前記吊りバンドの両端を支持するようにしたことを特徴としている。
【００１４】
また、本発明の請求項５のダクト吊り下げ構造は、
デッキプレートにあけられた穴に嵌合体がはめ込まれ、
前記嵌合体を貫通した線状体の上端に一体的に設けられた抜け防止曲げ部が、前記デッキプレートの上面側においてコンクリート内に埋設され、
前記線状体及びその下端に一体的に設けられた折り返し部が前記デッキプレートの下面側に配され、
ダクトを包持させた吊りバンドの両端の穴に前記折り返し部が挿通されて前記吊りバンドの両端が前記折り返し部に保持されたことを特徴としている。
【００１５】
また、本発明の請求項９のダクト吊り下げ方法は、
デッキプレートを敷設する工程と、
前記デッキプレートにダクトの敷設方向に沿って複数の穴をあける工程と、
直線部の上端に抜け防止曲げ部が設けられ、前記直線部の下端に折り返し部が設けられた前記直線部に前記抜け防止曲げ部の下方に嵌合体が装着された吊り下げ支持具を用いて、前記デッキプレートの前記穴に上面側から前記折り返し部及び前記直線部を前記デッキプレートの下方へと挿通させて前記嵌合体を前記穴にはめ込む工程と、
前記デッキプレートの上面側にコンクリートを打設して、前記抜け防止曲げ部を埋設する工程と、
前記デッキプレートの下方においてダクトを敷設し、吊りバンドを前記ダクトに巻囲し、前記折り返し部を前記吊りバンドの両端の穴に挿通させて前記折り返し部に前記吊りバンドを保持させる工程とを備えている。
【００１６】
このようにしたため、コンクリート打設後に被支持体を包持させた吊りバンドの両端の穴に、前記折り返し部の先端を挿通するだけの極めて簡単な作業で、被支持体を吊り下げ支持することができる。
【００１７】
より具体的には、コンクリート打設後のダクトの敷設は、ダクトを吊り込みながら吊りバンドを巻き回し、所定のバンド長さの位置で前記折り返し部にセットするだけでよいため、作業に著しい進捗がみられる。
【００１８】
【発明の実施の形態】
以下、図面に基づいて本発明の実施の形態を説明する。
図１は本発明の一実施形態の吊り下げ支持具を示している。
【００１９】
図１に示すように、この吊り下げ支持具は、被支持体（例えば空調用フレキシブルダクト）をコンクリート面から吊り下げ支持するためのものであって、線状体２０と嵌合体３０から成る。
【００２０】
線状体２０は断面円形の金属の細い棒体であって、直線部２１と、この直線部２１の上端に設けられた抜け防止曲げ部２２と、直線部２１の下端に設けられた折り返し部２３とで構成されている。
【００２１】
嵌合体３０には、上下に軸心に沿って貫通穴３１が設けられている。従って、折り返し部２３を設ける前に、線状体２０の直線部２１をその下端部からこの貫通穴３１に、抜け防止曲げ部２２が嵌合体３０の上端に当接するまで上方から差し込み、その後、直線部２１の下端を上方へ折り返して折り返し部２３を形成すればよい。
【００２２】
このように構成された吊り下げ支持具は次のように使用する。
まず、図２に示すように、天井面を構成するデッキプレート１に穴１ａをあける。
次に、デッキプレート１の穴１ａに上面側から線状体２０の折り返し部２３及び直線部２１を挿通し、デッキプレート１の穴１ａに嵌合体３０をはめ込む。これにより線状体２０は直立してデッキプレート１にセットされる。
【００２３】
なお、嵌合体３０を下方に向かって径が漸減した切頭円錐形にすれば、穴１ａに嵌合体３０の上下方向の中間部がはまる。
【００２４】
また、嵌合体３０をゴムなどの弾性材で切頭円錐形に作成すれば、上方から穴１ａに押し込むことによって穴１ａの縁部に押圧されて弾性変形して嵌着されるから、穴１ａの寸法に狂いがあっても適合し、コンクリート打設時の水分が穴１ａから下方へ漏れにくいので、線状体２０の錆の発生を防ぐことができる。
【００２５】
次に、デッキプレート１の上面側にコンクリート３を打設して天井を形成する。
このようにして、抜け防止曲げ部２２及び嵌合体３０の上部がコンクリート３内に埋設され、デッキプレート１から下方に垂直方向に嵌合体３０の下部、直線部２１、折り返し部２３が露出した状態になる。
【００２６】
コンクリート養生が済んだ後、図２、図３、図４に示すように、フレキシブルダクト８を包持させた吊りバンド４０の両端４０ａ、４０ｂの穴４１ａ、４１ｂに折り返し部２３の先端を挿通して、折り返し部２３の下端部に吊りバンド４０の両端４０ａ、４０ｂを支持させる。
【００２７】
このように、吊りバンド４０の両端４０ａ、４０ｂの穴４１ａ、４１ｂに折り返し部２３の先端を通すだけの簡単な作業で、フレキシブルダクト８を天井面から吊り下げ支持することができる。
【００２８】
なお、吊りバンド４０の両端４０ａ、４０ｂのうちの少なくとも一方の穴を吊りバンド４０の長手方向に複数設ければ、複数の穴のいずれかを選択して折り返し部２３を挿入することによって、フレキシブルダクト８の径の違いに対応させることができ、また、フレキシブルダクト８の高さを調整することもできる。
【００２９】
なお、線状体２０が弾性を有する金属棒体の場合には、図２のように折り返し部２３の先端が直線部２１に接近している場合には、折り返し部２３の先端が直線部２１から少し離れるように弾性変形させて吊りバンド４０の両端４０ａ、４０ｂの穴４１ａ、４１ｂに折り返し部２３の先端を挿通すればよい。
なお、図５のように折り返し部２３の先端と直線部２１との間に隙間を設けてもよい。
【００３０】
なお、図６は施工されるダクトとの関係を示している。
図中、５０はビルディングなどの建造物の垂直壁、５１は垂直壁５０で区画されて形成された縦穴であって、縦穴５１に沿って送風用の縦ダクト５２が階の上下方向に設置され、各階ごとに分岐ダクト５３が垂直壁５０の貫通部５０ａ（天井板６０と天井コンクリート面の中間にある）に挿入され、この分岐ダクト５３から防火ダンパ５４、風量調整ユニット５５を介して、デッキプレート１の下方に長尺のフレキシブルダクト８ａが接続され、このフレキシブルダクト８ａに分配チャンバ５６を介して複数のフレキシブルダクト８ｂが接続され、各フレキシブルダクト８ｂは天井板６０の吹き出し口６１に接続される。なお、縦ダクト５２から風量調整ユニット５５までは金属製である。
【００３１】
従って、天井面を構成するデッキプレート１にこれらのフレキシブルダクト８ａ及びフレキシブルダクト８ｂを配設する方向に沿って適宜間隔で穴１ａをあけて、前記した方法によって吊り下げ支持具でフレキシブルダクト８ａ、フレキシブルダクト８ｂをデッキプレート１から吊り下げ支持すればよい。
【００３２】
デッキプレート１の代りに板材を用いる場合には、コンクリート養生後に板材を除去する際に吊り下げ支持具に衝突するので、前記したようにデッキプレート１に吊り下げ支持具を取り付ける。
【００３３】
なお、抜け防止曲げ部２２を図２〜５のように嵌合体３０の上でリボン状に巻き嵌合体３０の直径を越えて横切る形で載置されるのではなく、図７に示すように、線状体２０が嵌合体３０を上方に貫通してすぐに折り曲げられ、嵌合体３０の半径を越えて横切る形で載置されている。
【００３４】
なお、図１の実施形態では吊り下げ支持具は線状体２０と嵌合体３０とで構成した場合を示しているが、図８に示すように嵌合体を省いて線状体２０のみで構成してもよい。
【００３５】
【発明の効果】
以上のように本発明によれば、被支持体を包持させた吊りバンドの両端の穴に、前記折り返し部の先端を挿通するだけの極めて簡単な作業で、被支持体を吊り下げ支持することができ、施工時間を大幅に短縮できる。
【００３６】
また、吊りボルトやＬ形金具や、ナットやボルトなどを必要としないので、大幅にコスト減を実現できる。
【００３７】
また、線状体２０は金属の細い棒体なので、障害物などがある場合、直線部２１を曲げることによって、容易に障害物などを避けて被支持体を吊り下げ支持することができる。
【図面の簡単な説明】
【図１】本発明の一実施形態を示す斜視図
【図２】同実施形態の使用状態を示す断面図
【図３】同実施形態の使用状態を示す断面図
【図４】同実施形態の使用状態を示す斜視図
【図５】本発明の他の実施形態を示す正面図
【図６】本発明のダクト吊り下げ構造を示す概略図
【図７】本発明の他の実施形態を示す正面図
【図８】本発明の他の実施形態の使用状態を示す断面図
【図９】従来の吊り下げ支持装置を示す断面図
【符号の説明】
２０    線状体
２１    直線部
２２    抜け防止曲げ部
２３    折り返し部
３０    嵌合体
３１    貫通穴
【図１】
2004218800.tif 000003
【図２】
2004218800.tif 000004
【図３】
2004218800.tif 000005
【図４】
2004218800.tif 000006
【図５】
2004218800.tif 000007
【図６】
2004218800.tif 000008
【図７】
2004218800.tif 000009
【図８】
2004218800.tif 000010
【図９】
2004218800.tif 000011